(57)【要約】【課題】  操作者が、適切なデバイスリンクプロファイルを選択する助けとなるデバイスリンクプロファイルを作成時の情報を、提供することができなかった。【解決手段】  本発明は、複数のデバイスリンクプロファイルを表示する表示手段、  前記表示された複数のデバイスリンクプロファイルのプロパティ表示を指示する指示手段、  前記プロパティ表示が指示された場合、プロパティを表示するプロパティ表示手段とを有することを特徴とする。【選択図】  図７
2007181251.tif 000002
【特許請求の範囲】
【請求項１】
複数のデバイスリンクプロファイルを表示する表示手段、
前記表示された複数のデバイスリンクプロファイルのプロパティ表示を指示する指示手段、
前記プロパティ表示が指示された場合、プロパティを表示するプロパティ表示手段とを有することを特徴とする画像処理装置。
【請求項２】
前記複数のデバイスリンクプロファイルに対し、検索を行なう検索手段を有することを特徴とする請求項１記載の画像処理装置。
【請求項３】
複数のデバイスリンクプロファイルを表示する表示手段、
前記表示された複数のデバイスリンクプロファイルのプロパティ表示を指示する指示手段、
前記プロパティ表示が指示された場合、前記デバイスリンクプロファイルの作成に用いられたソースプロファイル、出力プロファイル、レンダリングスタイルの情報の少なくとも１つを表示するプロパティ表示手段を有することを特徴とする画像処理装置。
【請求項４】
複数のデバイスリンクプロファイルを表示する表示工程、
前記表示された複数のデバイスリンクプロファイルのプロパティ表示を指示する指示工程、
前記プロパティ表示が指示された場合、プロパティを表示させるプロパティ表示工程とを有することを特徴とする画像処理方法。
【請求項５】
コンピュータにより処理されるプログラムであって、
複数のデバイスリンクプロファイルを表示させるコード、
前記表示された複数のデバイスリンクプロファイルのプロパティ表示を指示させるコード、
前記プロパティ表示が指示された場合、プロパティを表示させるコードとを有することを特徴とするプログラム。
【発明の詳細な説明】
【技術分野】
【０００１】
本発明は、画像処理装置、画像処理方法、プログラムに関するものである。
【背景技術】
【０００２】
従来、画像の入出力を行う画像形成装置として図１に示すような、コピー機能、プリンタ機能、さらにはファクシミリ機能等を有する複合画像処理を実行することが可能な画像入出力処理装置、いわゆるマルチファンクションデジタル複写機１０１のようなものが知られている。
【０００３】
図１は、この種の画像形成装置のシステム構成を説明するブロック図であり、フルカラーマルチファンクションデジタル複写機の場合に対応し、紙などに記録されている原稿画像を読み取るスキャナ１０３と、読み取った画像、あるいはホストコンピュータから送られてくる画像を紙などのメディアに出力するプリンタ１０４で構成されており、さらにこれらのスキャナ１０３、プリンタ１０４の動作を制御したり、あるいは種々の画像処理を施すデバイスコントローラ１０５、機器の操作を使用者に提供する操作部１０２、また画像データや処理プログラムを一時的あるいは恒久的に記憶するメモリ１０６およびハードディスク１０７などから構成される。
【０００４】
このようなフルカラーマルチファンクションデジタル複写機では、単に原稿画像を複写するということだけでなく、原稿画像に種々の画像処理を施して複写することもできる。
【０００５】
例えば、原稿の白黒を反転させるネガポジ反転処理、原稿の一部のみを複写するトリミング処理、複数の原稿を縮小して一枚の出力用紙に上に合成する縮小レイアウト処理などといった多様な画像処理を行うことが可能である。
【０００６】
また、前記画像形成装置とホストコンピュータとをコントローラを介して接続し、前記ホストコンピュータで作成されたカラー画像を、前記コントローラによってラスター画像化し、前記コントローラ内部のメモリに保持した後に、カラーレーザープリンターとして前記画像形成装置に印刷する画像形成装置システムが考案されている。
【０００７】
前記ラスター画像化時にはシャープネスフィルタ処理、トラッピング処理、オーバープリント処理、色処理等の様々な画像処理が施されるが、特に色処理においてはトナー等の色材の違いや転写剤としての紙の種類によって再現される色が大きく異なるため、用紙やプリントデバイスの色再現特性を記述したカラープロファイルを参照した色変換システムが実用化されている。
【０００８】
カラープロファイルはＩＣＣ（Ｉｎｔｅｒｎａｔｉｏｎａｌ  Ｃｏｌｏｒ  Ｃｏｎｓｏｔｉｕｍ）によって規定されたＩＣＣプロファイルが一般的に用いられるが、ＩＣＣプロファイルのうちでも、入力デバイス側の色特性を記述したソースプロファイルと、出力側の色特性を記述した出力プロファイルの２つを用いる方法が広く用いられている。この方法によれば、入力データをソースプロファイルを参照してデバイスに依存しないカラースペース（ＰＣＳ：Ｐｒｏｆｉｌｅ  Ｃｏｎｎｅｃｔｉｏｎ  Ｓｐａｃｅ）に変換した後、出力プロファイルを参照して出力デバイスに最適化したカラーデータに変換する。
【０００９】
さらに別のＩＣＣプロファイルとして、デバイスリンクプロファイルが規定されている。デバイスリンクプロファイルは、入力データを出力データに変換する際にダイレクトに変換するための変換テーブルを保持しており、このため入力データから出力データに変換する際に１つのデバイスリンクプロファイルを参照することで色変換がなされる。
【００１０】
一般的なカラープリンタの画像処理装置における色変換システムにおいては、前者のソースプロファイルと出力プロファイルの２つのカラープロファイルを用いる方式が主流となっているが、画像処理装置に初期状態から搭載することのできるカラープロファイルの種類には限界があるため、ソースプロファイルや出力プロファイルを外部からインストールできる装置が存在した。また、デバイスリンクプロファイルを作成するにはソースプロファイルと出力プロファイルの２つが必要なため、画像処理装置内のソースプロファイルと出力プロファイルの組み合わせから内部的にデバイスリンクプロファイルを生成できる装置が存在した。
【００１１】
さらに、ソースプロファイルと出力プロファイルを利用した色処理パスを使用者が理解しやすくするためのＧＵＩ（Ｇｒａｐｈｉｃａｌ  Ｕｓｅｒ  Ｉｎｔｅｒｆａｃｅ）をプリンタドライバ等に実装する装置が存在した。
【特許文献１】特開２００４−６４５６５号公報
【発明の開示】
【発明が解決しようとする課題】
【００１２】
しかしながら、従来の画像形成装置を使用して印刷する場合、以下のような問題があった。
【００１３】
従来、ソースプロファイルや出力プロファイルを外部からインストールし、色処理を行う際にはソースプロファイルと出力プロファイルをそれぞれ選択することでＰＣＳを介在した色処理を行うことが可能な画像処理装置が存在した。一方、デバイスリンクプロファイルは画像処理装置内にインストールされたソースプロファイルと出力プロファイルから生成する方式のため、画像処理装置外の外部ベンダー製のツール等により作成されたデバイスリンクプロファイルを直接インストールして利用することはできなかった。
【００１４】
このため、デバイスリンクプロファイルによるダイレクトな色処理に際しては、画像処理装置内のインストールされたソースプロファイルと出力プロファイルを利用した色処理と同等な結果しか得られず、外部ベンダー製のツール等が有する独自機能によって生成された色処理テーブルを利用した色変換処理を利用することはできないという問題があった。
【００１５】
さらに、従来の画像処理装置では、ソースプロファイルと出力プロファイルを利用した色処理パスを使用者が理解しやすくするためのＧＵＩをプリンタドライバ等に実装する装置が存在したが、ソースプロファイルと出力プロファイルから生成したデバイスリンクプロファイルを利用した場合の色処理パスを表示する装置はなかったため、一般的なソースプロファイルと出力プロファイルを利用した色処理とデバイスリンクプロファイルを利用した色処理の違いが使用者にとって理解しにくく操作設定が良好ではなかった。
【００１６】
また従来は操作者が、適切なデバイスリンクプロファイルを選択する助けとなるデバイスリンクプロファイルを作成時の情報を、提供することができなかった。
【課題を解決するための手段】
【００１７】
以上の課題を解決するために本発明は、複数のデバイスリンクプロファイルを表示する表示手段、
前記表示された複数のデバイスリンクプロファイルのプロパティ表示を指示する指示手段、
前記プロパティ表示が指示された場合、プロパティを表示するプロパティ表示手段とを有することを特徴とする。
【発明の効果】
【００１８】
本発明によれば、適切なデバイスリンクプロファイルを選択する助けとなるデバイスリンクプロファイルを作成時の情報を、提供することができる。
【発明を実施するための最良の形態】
【００１９】
（第１の実施例）
以下、好ましい実施例として、フルカラーマルチファンクションデジタル複写機（以下、単にカラー複写機とする）のシステムについての詳細な説明をする。なお、本発明はこの実施例に限るものではない。
【００２０】
［構成の説明］
図２は本発明の実施例の画像形成装置システムの構成を示すブロック図である。クライアントコンピュータ２０１と、コントローラ２０２はネットワークで接続されている。
【００２１】
クライアントコンピュータ２０１からプリントを行う場合、クライアントコンピュータ２０１で作成されたプリントジョブはネットワークを経由してコントローラ２０２に送られる。本実施例の場合、このプリントジョブは、ページ記述言語（ＰＤＬ：Ｐａｇｅ  Ｄｅｓｃｒｉｐｔｉｏｎ  Ｌａｎｇｕａｇｅ）で記述されたＰＤＬデータである。そして、ＰＤＬコントローラ２０２の中では、クライアントコンピュータ２０１から送られてきたＰＤＬデータはネットワークインタフェース部２０３を経由して受信され、制御部２０４によりバンド毎にラスタ画像データに展開され、さらに画像圧縮伸長処理部２０５により圧縮され、画像メモリ２０６に書き込まれる。ついで、制御系インタフェース部２０７を経由して、デバイスコントローラ１０５に対してプリント指示が行われ、画像メモリ２０６から読み出された圧縮画像データは、画像圧縮伸長処理部２０５により伸長された後、画像系ビデオインタフェース部２０８を経由して、デバイスコントローラ１０５に送られ画像形成が行われプリンタ１０４によって印刷される。なお、制御系インタフェース部２０７を経由して、行われるプリント指示には、デバイスコントローラ１０５での圧縮を制御する圧縮制御パラメータが含まれる。一方、デバイスコントローラ１０５は、コントローラ２０２からのプリント指示を受け付ける制御系インタフェース部２０９を持ち、受け取った指示は制御部２１１で処理される。デバイスコントローラ１０５は、さらに、コントローラ２０２から送られる画像データを受信するための画像系ビデオインタフェース部２１０を持ち、コントローラ２０２からのプリント指示に含まれる圧縮制御パラメータに基づいて第２の画像圧縮伸長処理部２１２により圧縮され、画像メモリ２１３に書き込まれる。ついで、制御部２１１の指示により、画像メモリ２１３から読み出された圧縮画像データは、第２の画像圧縮伸長処理部２１２により伸長された後、受け取った画像データは制御部２１１で、種々の画像処理が施された後、プリンタＩ／Ｆ部２１５を経由してプリンタ１０４に送られ印刷される。
【００２２】
本実施例のデバイスコントローラ１０５は、さらにスキャナ１０３を持つＭＦＰ（Ｍｕｌｔｉ  Ｆｕｎｃｔｉｏｎ  Ｐｅｒｉｐｈｅｒａｌ）であり、スキャナ１０３で読み取った画像データをコントローラ２０２に送るスキャン機能も持つ。この場合、スキャナ１０３で読み取った画像データは、スキャナＩ／Ｆ部２１６を経由して、画像圧縮伸長処理部２１２により圧縮され、画像メモリ２１３に書き込まれる。ついで、制御系インタフェース部２０７を経由して、コントローラ２０２に対して指示が行われ、画像メモリ２１３から読み出された圧縮画像データは、画像圧縮伸長処理部２１２により伸長された後、画像系ビデオインタフェース部２０８を経由して、コントローラ２０２に送られる。画像系ビデオインタフェース部２０８、２１０は、画像クロックに同期してラスタ画像データを搬送するビデオインタフェースであり、画像データは８本の信号線を用いて伝送され、１画素あたり８ｂｉｔのデータが送られる。この８本の信号線は、双方向に使用可能な構成となっており、プリント時には、コントローラ２０２からデバイスコントローラ１０５に向かう向きで使用され、スキャン時には、デバイスコントローラ１０５からコントローラ２０２に向かう向きで使用される。
【００２３】
さらに、本実施例のデバイスコントローラ１０５は、ファクシミリＩ／Ｆ部２１４を持つＭＦＰ（Ｍｕｌｔｉ  Ｆｕｎｃｔｉｏｎ  Ｐｅｒｉｐｈｅｒａｌ）であり、スキャナ１０３で読み取った画像やコントローラ２０２から受け取った画像をファクシミリＩ／Ｆ部２１６を経由して電話回線に送信したり、逆に電話回線を介して受信したファクシミリ画像データをプリンタ１０４で印刷する機能も持つ。
【００２４】
操作部１０２は、操作者により種々の操作指示を行うためのものであり、制御系インタフェース部２０７、２０９で使用するネットワークアドレスなどを設定するために使用される。
【００２５】
［スキャナ、プリンタの構成］
図３に、スキャナ１０３、プリンタ１０４の概観図を示す。３１３は、ポリゴンミラーであり、４つの半導体レーザより発光された４本のレーザ光を受ける。その内の１本はミラー３１４、３１５、３１６をへて感光ドラム３１７を走査し、次の１本はミラー３１８、３１９、３２０をへて感光ドラム３２１を走査し、次の１本はミラー３２２、３２３、３２４をへて感光ドラム３２５を走査し、次の１本はミラー３２６、３２７、３２８をへて感光ドラム３２９を走査する。
【００２６】
一方、３３０はイエロー（Ｙ）のトナーを供給する現像器であり、レーザ光に従い、感光ドラム３１７上にイエローのトナー像を形成し、３３１はマゼンタ（Ｍ）のトナーを供給する現像器であり、レーザ光に従い、感光ドラム３２１上にマゼンタのトナー像を形成し、３３２はシアン（Ｃ）のトナーを供給する現像器であり、レーザ光に従い、感光ドラム３２５上にシアンのトナー像を形成し、３３３はブラック（Ｋ）のトナーを供給する現像器であり、レーザ光に従い、感光ドラム３２９上にマゼンタのトナー像を形成する。以上４色（Ｙ，Ｍ，Ｃ，Ｋ）のトナー像がシートに転写され、フルカラーの出力画像を得ることができる。
【００２７】
シートカセット３３４、３３５および、手差しトレイ３３６のいずれかより給紙されたシートは、レジストローラ３３７を経て、転写ベルト３３８上に吸着され、搬送される。給紙のタイミングと同期がとられて、予め感光ドラム３１７、３２１、３２５、３２９には各色のトナーが現像されており、シートの搬送とともに、トナーがシートに転写される。各色のトナーが転写されたシートは、分離され、搬送ベルト３３９により搬送され、定着器３４０によって、トナーがシートに定着される。定着器３４０を抜けたシートはフラッパ３５０により一旦下方向へ導かれてシートの後端がフラッパ３５０を抜けた後、スイッチバックさせて排出する。これによりフェイスダウン状態で排出され、先頭頁から順にプリントしたときに正しいページ順となる。
【００２８】
なお、４つの感光ドラム３１７、３２１、３２５、３２９は、距離ｄをおいて、等間隔に配置されており、搬送ベルト３３９により、シートは一定速度ｖで搬送されており、このタイミング同期がなされて、４つの半導体レーザは駆動される。
【００２９】
［デバイスコントローラ画像処理］
デバイスコントローラ内の制御部２１１で行われる画像処理について説明する。図４には画像処理のフローチャートを示す。ここでは、コントローラ２０２からの印刷処理の場合についてのみ説明する。Ｓ４０１で制御系インタフェース部２０９で印刷開始のコマンドを受信すると印刷処理が開始される。Ｓ４０２で印刷ジョブは画像系ビデオインタフェース部を介して画像メモリ２０６上で指定された圧縮のパラメータに従ってＪＰＥＧ圧縮される。Ｓ４０３で圧縮された印刷ジョブは画像メモリ２１３上にスプールされる。印刷の状況によっては印刷ジョブは不図示のハードディスクにスプールされる場合もある。Ｓ４０４で１ページ分のデータがスプールされると、画像メモリ２１３上の圧縮された印刷ジョブを伸張し、デバイスコントローラ１０５はプリンタ１０４を起動する。Ｓ４０５では色変換をダイレクトマッピングを行う。Ｓ４０６はマスキング処理を行う。Ｓ４０７ではフィルタ処理を行う。Ｓ４０８ではガンマ変換を行う。Ｓ４０９ではスクリーン処理を行う。Ｓ４１０ではスムージング処理を行う。Ｓ４１１ではドラム間補正を行いプリンタ１０４に画像データを送り印刷する。
【００３０】
［デバイスリンクプロファイルのインストール］
外部装置で作成されたデバイスリンクプロファイルをコントローラ２０２に取り込んでデバイスリンクプロファイルを印刷で使用する場合について図５、図６、図７を用いて説明する。デバイスリンクプロファイルを作成するため必要なソースプロファイル、出力プロファイルはネットワークを介して獲得しても良いし、外部装置でリムーバブルメモリから読み出しを行なうことで獲得しても良い。尚、図６、７はデバイスリンクプロファイルをコントローラ２０２にインストールする際のインストールする装置におけるプロファイルの選択画面、プロパティーの確認画面であり、ＧＵＩ（Ｇｒａｐｈｉｃａｌ  Ｕｓｅｒ  Ｉｎｔｅｒｆａｃｅ）である。
【００３１】
外部装置で作成されたデバイスリンクプロファイルを印刷で使用できるようにするには、まずはコントローラ２０２にデバイスリンクプロファイルをインストールする必要がある。図５にインストールのフローチャートを示す。Ｓ５０１ではプリンタセットアップを起動してプリンタの設定を行う。プリンタセットアップはドライバ、印刷ジョブ管理ユーティリティ、コントローラ２０２のＷｅｂサービスのいずれかから行うことができる。Ｓ５０２ではメニューからデバイスリンクプロファイル設定を選択し、設定画面に入る。図６にデバイスリンクプロファイル設定の画面を示す。６１は設定ウインドウ、６２はドライバ上使用するデバイスリンクプロファイルオプションの設定値でデバイリンク１からデバイスリンク３の３種類のデバイスリンクプロファイルをインストールして使用することができる。６３はプロパティボタンであり、このボタンへの指示により図７にて後述するように所望のデバイスリンクプロファイルのプロパティが表示される。６４はインストールボタン、６５はクローズボタンである。
【００３２】
Ｓ５０３では６４のインストールボタンを選択して、デバイスリンクプロファイルのインストールを行う。選択すると不図示のファイル選択ウインドウが表示されてインストールしたいプロファイルを選択することができる。ファイルを選択しインストールを開始するとＳ５０４でインストールしたプロファイルが正しいものかを調べ、正しいプロファイルではない場合にはＳ５０５に進み、エラーメッセージを表示してプロファイルのインストールを終了する。正しいプロファイルの場合にはＳ５０６へ進み、インストールをしようとしているデバイスリンク１からデバイスリンク３の印刷オプションの設定にすでにデバイスリンクプロファイルがインストールされているのかを確認し、まだインストールされていない場合にはＳ５０７でデバイスリンクプロファイルを印刷オプションの所定の設定値にインストールして終了する。すでにデバイスリンクプロファイルがインストール済みの場合には、Ｓ５０８でファイルの更新をするかを確認しＳ５０９でデバイスリンクプロファイルを更新する。デバイスリンクプロファイル設定の画面ではデバイスリンクプロファイルがインストールされている場合、６３のプロパティボタンが有効になっていて選択することができるが、インストールされていない場合はグレーアウトされて選択できない。
【００３３】
［デバイスリンクプロファイルのプロパティ］
ここでデバイスリンクプロファイルのプロパティ表示について図７を用いて説明する。
【００３４】
７１はプロパティウインドウ、７２、７３、７４、７５はプロパティ情報、７６はクローズボタンである。プロパティ情報はデバイスリンクプロファイル内のタグ情報から表示される。７２はデバイスリンクプロファイルの名称であり、「ｐｒｏｆｉｌｅ  Ｄｅｓｃｒｉｐｔｉｏｎ  Ｔａｇ」の値が使われる。７３はデバイスリンクプロファイル作成のときのソースプロファイルで「ｐｒｏｆｉｌｅ  ＳｅｑｕｅｎｃｅＤｅｓｃＴｙｐｅ」の値が使われる。７４はデバイスリンクプロファイル作成のときの出力プロファイルで７３と同様「ｐｒｏｆｉｌｅ  ＳｅｑｕｅｎｃｅＤｅｓｃＴｙｐｅ」の値が使われる。７５はデバイスリンクプロファイル作成のときのレンダリングインテント（レンダリングスタイル）で「Ｉｎｔｅｎｔ」の値が使われる。デバイスリンクプロファイルの名前だけでは、どのようなソースプロファイル、出力プロファイル、レンダリングインテントからなるデバイスリンクプロファイルであるか識別が難しいことがあるが、このプロパティによりデバイスリンクプロファイルがどのようなプロファイルか確認できる。図７では、ソースプロファイル（ＣＭＹＫシュミレーションプロファイル）は、“ＳＷＯＰ  Ｃｏａｔｅｄ”である。
【００３５】
［デバイスリンクプロファイルを使った印刷］
実際にクライアントコンピュータ２０１からデバイスリンクプロファイルを使用して印刷する方法を図８を用いて説明する。図８はクライアントコンピュータのモニタ上のプリンタドライバの印刷詳細オプションを示している。８１はＣＭＹＫシミュレーションのソースプロファイルを設定するＣＭＹＫシミュレーション、８２はプリンタの出力特性に応じた出力プロファイルを設定する出力プロファイル、８３はデバイスリンクプロファイルの設定を行うデバイスリンクプロファイル、８４はレンダリングインテントの指定によりカラー表現を設定するレンダリングスタイル、８５はＣＭＹＫシミュレーションの設定値でＳＷＯＰ  Ｃｏａｔｅｄが選択されている。８６は出力プロファイルの設定値でプリンタの初期値が設定されている。８７はデバイスリンクプロファイルの設定のプルダウンメニューで、プリンタの初期値、オフ、デバイスリンク１、デバイスリンク２、デバイスリンク３から選択可能で、デバイスリンク１が設定されている。８８はＯＫボタン、８９はキャンセルボタンである。
【００３６】
デバイスリンクプロファイルがオフ以外に設定されているとき、デバイスリンクプロファイルを使用して印刷する。デバイスリンク１、デバイスリンク２、デバイスリンク３でデバイスリンクプロファイルをインストールしていない設定を選択した場合には印刷エラーとなる。また、デバイスリンクプロファイルとＣＭＹＫシミュレーション、出力プロファイルをドライバー上で同時に設定することはグレーアウトされてできないようになっている。すなわち、デバイスリンクプロファイルがオフ以外に設定されている場合には、ＣＭＹＫシミュレーション（ソースプロファイル）、出力プロファイル、レンダリングスタイルはオフのみが有効になる。（この場合ＰＣＳ（プロファイルコネクションスペースを介して色変換が行なわれる）印刷ジョブがプリンタに送信されると色処理（変換）はデバイスリンクプロファイル（ＰＣＳを介さない）処理に切り替えられて設定されたデバイスリンクプロファイルを用いて行われ、他のソースプロファイル、出力プロファイル、レンダリングインテントによって指定されたリソースを用いた色処理（変換）を使用しない。
【００３７】
したがってソースプロファイルならびに出力プロファイルのセットと、前記デバイスリンクプロファイルを排他的に選択される。尚、デバイスリンクプロファイル１〜３の表示上で所定の指示を入力することで前述したプロパティを確認することができる。またデバイスリンクプロファイルが多数ある際には、デバイスリンクプロファイル８３の表示上でダブルクリック等の所定の指示を入力することでプロファイル検索用のユーザインターフェイスが表示され、このユーザインターフェイス上で利用したいソースプロファイルもしくは出力プロファイルもしくはその両方を指定することで、指定されたソースプロファイルもしくは出力プロファイルを用いているデバイスリンクプロファイルのみが８７に表示される。その結果ユーザは所望のデバイスリンクプロファイルを容易にさがすことが出来る。
【００３８】
（第２の実施例）
第１の実施例では、外部装置で作成したデバイスリンクプロファイルをプリンタにインストールし、プリンタドライバから印刷する例について説明したが、ここでは、色処理やキャリブレーションなどの管理をするカラーマネージャーと呼ばれるユーティリティでのカラープロファイルの管理についてとプリンタドライバでカラープロファイルを使用するために拡張された機能とについて説明する。
【００３９】
カラーマネージャーのカラープロファイル管理の画面を図９に示す。カラープロファイルはソースプロファイル、シミュレーションプロファイル、出力プロファイル、デバイスリンクプロファイルを管理することができる。これらのプロファイルは９０１、９０２、９０３、９０４のタブで切り替えることができる。デバイスリンクプロファイルを扱うときは図９にあるようにタブ９０４を選択する。選択するとコントローラ２０２にインストールされたデバイスリンクプロファイルの一覧が表示される。表示される項目はデバイスリンクプロファイル内のタグ情報から表示される。９０５のプロファイル名はデバイスリンクプロファイルの名称であり、「ｐｒｏｆｉｌｅ  Ｄｅｓｃｒｉｐｔｉｏｎ  Ｔａｇ」の値が表示される。９０６のソースはデバイスリンクプロファイル作成のときのソースプロファイルで「ｐｒｏｆｉｌｅ  ＳｅｑｕｅｎｃｅＤｅｓｃＴｙｐｅ」の値が表示される。９０７の出力はデバイスリンクプロファイル作成のときの出力プロファイルで７３と同様「ｐｒｏｆｉｌｅ  ＳｅｑｕｅｎｃｅＤｅｓｃＴｙｐｅ」の値が表示される。９０８のレンダリングスタイルはデバイスリンクプロファイル作成のときのレンダリングインテントで「Ｉｎｔｅｎｔ」の値が表示される。９０９のドライバ表示は初期設定でドライバに表示されるデバイスリンクプロファイルの印刷オプションの設定項目９１０に割り当てているデバイスリンクプロファイルを表示する。ここでは、デバイスリンク１にＳｕｚｕｋｉ＿ｉｎｓａｔｓｕ＿ＳＰ２、デバイスリンク２にＳｕｚｕｋｉ＿ｉｎｓａｔｓｕ＿ＳＰ４、デバイスリンク３にＪＭＰＡ＿Ｓｔａｎｄａｒｄ２が割り当てられている。
【００４０】
９１１はインストールボタンでデバイスリンクプロファイルをインストールし一覧に表示できるようにする。９１２はプロパティボタンで一覧からデバイスリンクプロファイルを選択しプロパティボタンを押下することで詳細情報を表示したり、９１０のドライバ表示に使用するプロファイルを変更することができる。９１３はクローズボタンである。
【００４１】
次にプリンタドライバでカラープロファイルを使用するために拡張された機能について図１０を用いて説明する。この機能はカラープロファイルの切り替えを通常の印刷オプションとして行うのではなく、プリンタドライバの不図示のカラープロファイル詳細設定ボタンから呼び出されるカラープロファイル詳細設定ウインドウで行うものである。カラープロファイル詳細設定では、ホストコンピュータ２０１とコントローラ２０２の間で双方向通信を行うことができて、コントローラ２０２にインストールされたすべてのカラープロファイルをプリンタドライバから利用することができる。
【００４２】
１００１と１００２はＲＧＢとＣＭＹＫを切り替えるタブであり、この図ではＣＭＹＫが選択されている。１００３はＣＭＹＫシミュレーションの設定を行う選択メニュー、１００４は出力プロファイルの設定を行う選択メニュー、１００５はデバイスリンクプロファイルを使用するかどうかのチェックボックス、１００６はデバイスリンクプロファイルの設定を行う選択メニューである。１００７は１００３、１００４、１００６の選択メニューの項目を初期化するリセットボタン、１００８はプリンタとの双方向通信が可能なときにコントローラ２０２にインストールされているプロファイルの名称を選択メニューに反映させてすべてのインストール済みのカラープロファイルを利用できるようにする更新ボタン、１００９はクローズボタンである。
【００４３】
デバイスリンクプロファイルを使用するときには１００５のチェックボックスをオンにして１００６の選択メニューから使用したいデバイスリンクプロファイルを選択して印刷を行う。デバイスリンクプロファイルを使用するために１００５のチェックボックスをオンにしたときは自動的に１００３と１００４の選択メニューはグレーアウトして無効化され選択できなくなる。
【００４４】
以上説明してきたように、ページ記述言語からなるプリントジョブ情報を解釈してラスター画像展開する機能を有し、ラスター展開時にはカラープロファイルを用いた色処理を行う機能を有し、ラスター展開時に用いるカラープロファイルとして、入出力デバイスに依存しない色空間とするＰＣＳを介して色変換を行う場合に用いる標準的なソースプロファイル、出力プロファイル（以下カラープロファイル）に加えて、入力色空間から出力色空間へＰＣＳを介さずにダイレクトに色変換を行う場合に用いるデバイスリンクプロファイルが利用可能な画像処理装置において、画像処理装置外部で作成されたカラープロファイルまたはデバイスリンクプロファイルを各々複数インストールする機能を有し、インストール手段はローカルメディアまたはネットワークを介してインストールする機能を有し、予め搭載されたカラープロファイルとデバイスリンクプロファイル、または後からインストールされたカラープロファイルとデバイスリンクプロファイルを使用した色変換処理を実行する場合には、カラープロファイルとデバイスリンクプロファイルをそれぞれ排他的に使用する画像処理装置とすることによって、外部で生成されたデバイスリンクプロファイルを取り込んで利用することが可能となり、画像処理装置の搭載する色処理アルゴリズムには依存しない外部生成時の色処理アルゴリズムによる色処理を実現する効果を有する。
【００４５】
またソースプロファイルと出力プロファイルが必要な色処理と、それとは異なるデバイスリンクプロファイルのみが必要な色処理とが同時に働くことを防止し、システムが複雑になることを避けることで安定した色処理を実現する効果を有する。
【００４６】
さらに、排他的に使用されるカラープロファイルとデバイスリンクプロファイル使用時には、使用するプロファイルの種類によって色変換処理を含む画像処理方法を切り替える画像処理装置とすることにより、相互のプロファイル利用時の画像処理プロセスが干渉することをほぼ完全に防止することが可能となり、より安定した色処理を実現する効果を有する。
【００４７】
加えて、使用者が画像処理機能を選択するＧＵＩ操作画面を有した画像処理装置において、使用者がインストールされたカラープロファイルまたはデバイスリンクプロファイルを選択するための操作画面を有し、カラープロファイル選択時にはデバイスリンクプロファイルの選択を不可能とする操作画面を表示し、デバイスリンクプロファイル選択時にはカラープロファイルの選択を不可能とする操作画面を表示する機能を有する画像処理装置とすることにより、内部的に排他で動作する仕組みと操作画面上の表示内容とを一致させることが可能で、使用者が操作する上で、理解しやい表示部にできるという効果を有する。
【００４８】
また、カラープロファイルまたはデバイスリンクプロファイルの各々の選択時には、各々の画像処理時に有効となる画像処理機能のみが選択可能となるような操作画面を表示する画像処理装置とすることによって、カラープロファイルの選択項目以外にも存在する色処理オプションのうちでも、選択したカラープロファイルによって決定される色処理として無効なオプションは選択できなくなることにより、操作を単純化し、操作ミス自体を防止する効果を有する。
【００４９】
更に、デバイスリンクプロファイルのタグに記述された作成時の情報である、プロファイルデスクリプション、レンダリングインテント、ソースプロファイル名、デスティネーションプロファイル名等が確認できるＵＩを有する画像処理装置とすることによって、生成時の条件によって色変換効果が大きく影響されるデバイスリンクプロファイルのより詳細な情報を確認することができ、操作者が適切なデバイスリンクプロファイルを選択する助けになると同時に、操作ミスの軽減を図る効果を有する。
【００５０】
（他の実施例）
また、上記実施形態では、ネットワークを構成するハードウェア等が含まれるものの、各データ処理を順次実施するソフトウェアでも実現できるものである。即ち、上述した実施の形態の機能を実現するソフトウェアのプログラムコードを記録した記憶媒体（または、記録媒体）を、システムあるいは装置に供給し、そのシステムあるいは装置のコンピュータ（または、ＣＰＵやＭＰＵ）が、記憶媒体に格納されたプログラムコードを読み出し、実行することによっても達成されることは言うまでもない。この場合、記憶媒体から読み出されたプログラムコード自体が、上述した実施の形態の機能を実現することになり、そのプログラムコードを記憶しはＣＤ、ＭＤ、メモリカード、ＭＯ等のさまざまな記憶媒体に書き込み可能である。
【００５１】
また、コンピュータが読み出したプログラムコードを実行することにより、上述した実施の形態の機能が実現されるだけでなく、そのプログラムコードの指示に基づき、コンピュータ上で稼働しているオペレーティングシステム（ＯＳ）等が、実際の処理の一部または全部を行い、その処理によって、上述した実施の形態の機能が実現される場合も含まれることは言うまでもない。
【００５２】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵ等が、実際の処理の一部または全部を行い、その処理によって、上述した実施の形態の機能が実現される場合も含まれることは言うまでもない。
【図面の簡単な説明】
【００５３】
【図１】画像処理装置の構成を説明するブロック図である。
【図２】画像形成装置システム概観図である。
【図３】スキャナ１０３、プリンタ１０４の概観図である。
【図４】デバイスコントローラの画像処理のフローチャートである。
【図５】デバイスリンクプロファイルのインストールのフローチャートである。
【図６】デバイスリンクプロファイル設定を示す図である。
【図７】デバイスリンクプロファイルのプロパティ表示を示す図である。
【図８】デバイスリンクプロファイル使用するときのプリンタドライバの印刷オプションの詳細を示す図である。
【図９】他の実施例でのカラープロファイル管理を示す図である。
【図１０】他の実施例でのカラープロファイル詳細設定を示す図である。
【図１】
2007181251.tif 000003
【図２】
2007181251.tif 000004
【図３】
2007181251.tif 000005
【図４】
2007181251.tif 000006
【図５】
2007181251.tif 000007
【図６】
2007181251.tif 000008
【図７】
2007181251.tif 000009
【図８】
2007181251.tif 000010
【図９】
2007181251.tif 000011
【図１０】
2007181251.tif 000012